(57)【要約】【課題】  本発明は、生理用品の個包装フィルムを入浴後の月経血仮止めとして使用することを可能とする生理用品の個別包装具を提供することを目的とするものである。【解決手段】  本発明は、個包装フィルム２は、その全長が跨いだ状態で下腹部から臀部長さとし、個包装フィルム２の略中央に載置される生理用品３部分の個包装フィルム２の幅を生理用品３幅長さとし、この生理用品３の前後部分を下腹部および臀部を覆う如き幅長さとする。【選択図】      図１
2005261811.tif 000002
【特許請求の範囲】
【請求項１】
生理用品が個別に包装される個包装フィルムにおいて、
前記包装フィルムの幅長さが生理用品幅以上を有すると共に、かつその全長が下腹部から臀部長さとされる
ことを特徴とする生理用品の個別包装具。
【請求項２】
前記個包装フィルムが柔軟性樹脂フィルムより形成される
ことを特徴とする請求項１記載の生理用品の個別包装具。
【発明の詳細な説明】
【技術分野】
【０００１】
本発明は生理用品の個別包装具に関する。詳しくは生理用品を個別に包装するために用いる包装具に係るものである。
【背景技術】
【０００２】
従来より、生理用品としては、透水性のトップシートと非透水性のバックシートの間に体液吸収体を配置し、両シートの周縁を体液吸収体の外周において対接させて加熱融着した後に、外周をカットして所定の製品形態とするようにしたものが知られている。
この生理用品を薄くかつ柔軟なポリエチレン、ポリプロピレン等の樹脂フィルムにより形成した個包装フィルムで包み込む、複数個の生理用品をワンパックとして箱あるいはバックに包装している。
【０００３】
このように生理用品の個別包装具として例えば図５に示すような発明がある。この生理用品の個別包装具は、生理用品を個別に包装したカバーシート１０１の開封縁１０２を止着テープ１０３で止着するようにした個別包装具において、前記止着テープ１０３の根元側の止着部の接着強度を、個包装フィルムの両側を封止するサイドシールを開放するに充分な強度として、止着テープにより個包装フィルムの開放を可能とすると共に、止着テープの先端側の剥離部の接着強度を、個包装フィルムを破損しない程度の強度とした構成とする（特許文献１参照。）。
【０００４】
【特許文献１】特開平１１−１０４１６７号公報（要約書、第１図）
【発明の開示】
【発明が解決しようとする課題】
【０００５】
前記個別包装具では剥離性を損なわない適度な接着力の止着テープを個包装フィルムの開封縁に充分な接着力で接着させることができるために、取扱中等に見られる止着テープのはがれ等を回避して包装安定性を高くすることができるにも拘らず、開封時に懸念される個包装フィルムの破損を防ぎ、生理用品の廃棄時に個包装フィルム内に包み込んで再び止着テープで止着できるようにしたものである。
【０００６】
しかしながら国内の商業ビルや公共施設等におけるトイレでは生理用品専用の回収容器が設置されており、殆どの使用者は廃棄する生理用品を再び折り畳んで個包装フィルム内に収納してから捨てることはせずに、回収容器に生理用品を直接廃棄しているのが現状である。
【０００７】
いっぽう生理中における入浴では、入浴後に身体を拭く際に月経血が流れ落ちるのを防ぐために取り敢えず新たな生理用品を股で挟んだ状態で身体を拭いており、生理用品を股で挟んでいるために窮屈な状態で身体を拭かなければならず、また生理用品が捩れることにより身体を拭き終わった後に再着用することができない問題がある。
【０００８】
本発明は、以上の点に鑑みて創案されたものであって、生理用品の個包装フィルムを入浴後の月経血仮止めとして使用することを可能とする生理用品の個別包装具を提供することを目的とするものである。
【課題を解決するための手段】
【０００９】
上記の目的を達成するために、本発明に係る生理用品個別包装具は、生理用品が個別に包装される個包装フィルムにおいて、前記包装フィルムの幅長さが生理用品幅以上を有すると共に、かつその全長が下腹部から臀部長さとされる。
【００１０】
ここで、生理用品が個別に包装される個包装フィルムを生理用品幅以上とし、その全長が下腹部から臀部長さとすることにより、入浴後に個包装フィルム上に生理用品を載置して個包装フィルムと共に生理用品を装着することで個包装フィルムが下腹部と臀部に密着し、生理用品を安定した状態で局部にあてがうことが可能となる。
【００１１】
また、前記個包装フィルムをポリエチレン、ポリプロピレン等の柔軟性を有する合成樹脂フィルムにより形成することにより、入浴後の濡れた肌表面に対して密着することになる。
【発明の効果】
【００１２】
本発明では、入浴後に身体を拭き取る場合には、従来のように生理用品を股に挟んで拭き取ることがなく、個包装フィルムによって生理用品の仮装着が行えることにより充分な身体の拭き取りが可能となる。
【００１３】
また、拭き取った後の個包装フィルムの取り外しが容易に行え、水による吸着であるために肌に悪影響を与えることが無く、生理用品の再装着が行えるものである。
【発明を実施するための最良の形態】
【００１４】
以下、本発明の実施の形態を図面を参酌しながら説明し、本発明の理解に供する。
図１に、本発明を適用した生理用品の個別包装具の一例を説明するための斜視図である。
ここで示す個別包装具１は、薄くかつ柔軟なポリエチレン、ポリプロピレン等の合成樹脂より成る個包装フィルム２により形成される。
【００１５】
この個包装フィルム２は、その全長が跨いだ状態で下腹部から臀部長さとし、その幅長さが包装される生理用品の幅長さ以上とするものである。即ち個包装フィルム２の略中央に載置される生理用品３部分の個包装フィルム２の幅を生理用品３幅長さとし、この生理用品３の前後部分を下腹部および臀部を覆う如き幅長さとする。
【００１６】
そこで図２に示すように、生理用品３は透水性のトップシートと非透水性のバックシートの間に体液吸収体を配置し、両シートの周縁を体液吸収体の外周において対接させて加熱融着した後に、外周をカットして所定の製品形態とし、更にその外表面に粘着層４を形成し、この粘着層４によって生理用品３をショーツに粘着させて生理用品がずれないように装着するものである。
【００１７】
この生理用品３は図３に示すように個包装フィルム２によって折り畳んだ状態で包装され、この個包装フィルム２の開封縁が止着テープ５によって止着して包装される。
従って図１において詳述したように入浴後に止着テープ５を外して個包装フィルム２を展開したときに、生理用品３が個包装フィルム２の略中央に粘着された状態でとなる。
【００１８】
そして図４に示すように、生理用品３を局部にあてがうようにして個包装フィルム２の前後部分を下腹部６および臀部７に密着させることで生理用品３を安定した状態で仮装着することが可能となり、身体の濡れをゆっくりと拭き取ることができる。
【００１９】
次に、拭き取った後に個包装フィルム２を取り外す場合には、個包装フィルム２は肌表面と水によって吸着しているために個包装フィルム２の一端を掴んで剥がすことによって容易に外すことができ、生理用品３を捩ることなく再装着を行うことができる。
【００２０】
なお、個包装フィルムは必ずしもポリエチレン、ポリプロピレン等の合成樹脂より形成される必要性は無く、例えば水に吸着する性質を有する合成樹脂材や紙などであっても構わない。
【００２１】
また、止着テープは個包装フィルムの開放端を止着するためのものであり、テープの接着力が強すぎると剥がすときに個包装フィルムを引き裂くことになり、外れることなく、かつ個包装フィルムを破損することがない程度の接着力を有する止着テープを使用することが望ましい。
【００２２】
以上の構成よりなる本発明では、個包装フィルムを生理用品の仮装着できる大きさ・形状に形成することにより、使用するまでは個別の生理用品の包装具として使用し、入浴後の身体の拭き取り時には生理用品の仮装着用として使用することが可能となる。
【図面の簡単な説明】
【００２３】
【図１】本発明を適用した生理用品の個別包装具の一例を説明するための斜視図である。
【図２】本発明を適用した生理用品の個別包装具に使用する生理用品の一例を示す説明図である。
【図３】本発明を適用した生理用品の個別包装具による生理用品の包装状態を示す説明図である。
【図４】本発明を適用した生理用品の個別包装具による生理用品の仮装着状態を示す説明図である。
【図５】従来の生理用品の個別包装具の一例を示す説明図である。
【符号の説明】
【００２４】
１      個別包装具
２      個包装フィルム
３      生理用品
４      粘着層
５      止着テープ
６      下腹部
７      臀部
【図１】
2005261811.tif 000003
【図２】
2005261811.tif 000004
【図３】
2005261811.tif 000005
【図４】
2005261811.tif 000006
【図５】
2005261811.tif 000007